(57)【要約】【課題】プラスチック成型品のダイヤルリングを用いた場合でも、また、文字板上における植字の配置領域の制約がある場合でも、高級感のあるデザインを実現できる時計を提供する。【解決手段】電子時計１００は、文字板１１と、文字板１１の外周に配置されたダイヤルリング８３と、ダイヤルリング８３に固定されたインデックス８６とを有する。ダイヤルリング８３には、ダイヤルリング８３の半径方向における内側に向かって突出した突出部が形成されており、インデックス８６は突出部に取り付けられる。ダイヤルリング８３は例えば樹脂で形成され、インデックス８６は例えば金属で形成される。【選択図】図３
2018109650.tif 000002
【特許請求の範囲】
【請求項１】
文字板と、
前記文字板の外周に配置された環状部材と、
前記環状部材に固定された指標部材と、を有する
ことを特徴とする時計。
【請求項２】
前記環状部材は樹脂によって形成され、
前記指標部材は金属によって形成される、
ことを特徴とする請求項１に記載の時計。
【請求項３】
前記環状部材は、当該環状部材の半径方向における内側に向かって突出した突出部を有し、
前記指標部材は、前記突出部に配置される、
ことを特徴とする請求項１または請求項２に記載の時計。
【請求項４】
前記指標部材の前記半径方向における外側端部は、前記環状部材の前記半径方向における内側端部よりも、前記半径方向における外側に位置している、
ことを特徴とする請求項３に記載の時計。
【請求項５】
前記指標部材は、前記環状部材に接着剤により固定される、
ことを特徴とする請求項１乃至４のいずれかに記載の時計。
【請求項６】
前記指標部材は凸部を有し、
前記突出部は、前記凸部に対応する位置に第１孔部を有し、
前記第１孔部に前記凸部を嵌め合わせ、前記凸部を第１孔部に接着剤により固定させる、
ことを特徴とする請求項３または４に記載の時計。
【請求項７】
前記突出部は、前記第１孔部が形成された側の裏側に、前記第１孔部と連通する第２孔部を有し、前記接着剤は前記第２孔部側から塗布される、
ことを特徴とする請求項６に記載の時計。
【請求項８】
前記凸部及び前記第１孔部は複数であり、
前記第２孔部は前記複数の第１孔部と連通する一つの長孔部である、
ことを特徴とする請求項７に記載の時計。
【請求項９】
前記突出部は、前記環状部材の前記半径方向おける長さ、及び、前記環状部材の周方向における幅が、前記指標部材の前記半径方向おける長さ、及び、前記周方向における幅よりも小さい、
ことを特徴とする請求項３乃至８のいずれか１項に記載の時計。
【請求項１０】
前記凸部が前記第１孔部または前記第２孔部に固定されたとき、前記第１孔部または前記第２孔部内に突出する前記凸部の長さが前記第１孔部または前記第２孔部の深さの１／２以上である
ことを特徴とする請求項６乃至９のいずれか１項に記載の時計。
【請求項１１】
前記突出部は前記文字板に平行な部分を有し、
前記平行な部分に前記指標部材が配置される、
ことを特徴とする請求項３乃至１０のいずれか１項に記載の時計。
【請求項１２】
前記指標部材は、厚みが一定である、
ことを特徴とする請求項１乃至１１のいずれか１項に記載の時計。
【請求項１３】
前記指標部材と平面視で重ならない位置に配置され、電波を受信するアンテナを有する、
ことを特徴とする請求項１乃至１１のいずれか１項に記載の時計。
【発明の詳細な説明】
【技術分野】
【０００１】
本発明は、時計に関する。
【背景技術】
【０００２】
時計の文字板の外周部には、目盛り用のダイヤルリングが配置される。ダイヤルリングは、構造上およびデザイン上、複雑な凹凸のある形状に成型する必要があるため、一般的にはプラスチック製のものが用いられている。
【０００３】
但し、質感・商品の差別化し商品価値を向上させるためには、高級感のあるデザインが必要となるが、プラスチック成型品のダイヤルリングのみの加工では、高級感が得られないという問題があった。そこで、従来は、目盛りとして金属製の植字部材を文字板に取り付けることで高級感を出していた（例えば、特許文献１、特許文献２）。
【先行技術文献】
【特許文献】
【０００４】
【特許文献１】特開２００９−６３４９０号公報
【特許文献２】特開２００６−２１４７３４号公報
【発明の概要】
【発明が解決しようとする課題】
【０００５】
しかしながら、例えば太陽電池を用いた時計の場合には、受光範囲を広くする必要があるため、文字板における植字の配置領域が狭くなり、デザイン上の制約が存在していた。
【０００６】
本発明は上述した事情に鑑みてなされたものであり、デザイン性の高い時計を提供することを解決課題とする。
【課題を解決するための手段】
【０００７】
以上の課題を解決するため、本発明に係る時計は、文字板と、前記文字板の外周に配置された環状部材と、前記環状部材に固定された指標部材とを有することを特徴とする。本発明においては、指標部材として、環状部材とは別素材の部材が使用可能であるため、デザイン性を高めることが可能となる。なお、本発明において、「環状」とは、全体がつながって切れ目がなく輪になっていることをいい、円環状だけではなく、切れ目がない四角形やその他の多角形の形状を含む。また、「指標部材」とは、時刻を表示するための植字、略字、時字を含む。「環状」及び「指標部材」については、以下、本明細書において同様である。
【０００８】
上述した本発明の時計において、前記環状部材は樹脂によって形成され、前記指標部材は金属によって形成されることが好ましい。この場合には、環状部材が樹脂によって形成されているので、複雑な形状であっても加工がしやすい。また、指標部材は金属によって形成されているので高級感のあるデザインを実現できる。
【０００９】
上述した本発明の時計において、前記環状部材は、当該環状部材の半径方向における内側に向かって突出した突出部を有し、前記指標部材は、前記突出部に配置されることが好ましい。この場合には、指標部材を突出部に取り付けるので作業が容易になる。
【００１０】
上述した本発明の時計において、前記指標部材の前記半径方向における外側端部は、前記環状部材の前記半径方向における内側端部よりも、前記半径方向における外側に位置していることが好ましい。文字板に指標部材を取り付ける場合には、指標部材を前記半径方向における最も外側に取り付けようとしても、指標部材の前記半径方向における外側端部は、環状部材の前記半径方向における内側端部の位置とするのが限界となる。しかし、突出部は、指標部材の前記半径方向における外側端部が、環状部材の前記半径方向における内側端部よりも、前記半径方向における外側に位置するように構成されているため、指標部材が文字板を覆う領域は、文字板に指標部材を取り付ける場合よりも狭くなり、文字板の見切りを広くすることができる。
【００１１】
上述した本発明の時計において、前記指標部材は、前記環状部材に接着剤により固定されることが好ましい。この場合には、作業が容易になる。
【００１２】
上述した本発明の時計において、前記指標部材は凸部を有し、前記突出部は、前記凸部に対応する位置に第１孔部を有し、前記第１孔部に前記凸部を嵌め合わせ、前記凸部を第１孔部に接着剤により固着させることが好ましい。この場合には、指標部材の凸部を第１孔部に嵌め合わせて凸部を第１孔部に接着剤により固定させるので、時計を使用する際に、指標部材側からは接着剤が見えず、美観を損ねることがない。
【００１３】
上述した本発明の時計において、前記突出部は、前記第１孔部が形成された側の裏側に、前記第１孔部と連通する第２孔部を有し、前記接着剤は前記第２孔部側から塗布されることが好ましい。この場合には、指標部材の凸部を第１孔部に嵌め合わせ、接着剤を第２孔部側から塗布して凸部を第１孔部に接着剤により固着させるので、指標部材側からは接着剤が見えず、美観を損ねることがない。
【００１４】
上述した本発明の時計において、前記凸部及び前記第１孔部は複数であり、前記第２孔部は前記複数の第１孔部と連通する一つの長孔部であることが好ましい。この場合には、第２孔部は一つの長孔形状に形成され、複数の第１孔部と連通するので、第２孔部が接着剤溜まりとなり、接着度が高まり、強度を増加させることができる。
【００１５】
上述した本発明の時計において、前記突出部は、前記環状部材の前記半径方向おける長さ、及び、前記環状部材の周方向における幅が、前記指標部材の前記半径方向おける長さ、及び、前記周方向における幅よりも小さいことが好ましい。この場合には、指標部材側から見ると、突出部が見えにくくなり、美観を損ねることがない。
【００１６】
上述した本発明の時計において、前記凸部が前記第１孔部または前記第２孔部に固定されたとき、前記第１孔部または前記第２孔部内に突出する前記凸部の長さが前記第１孔部または前記第２孔部の深さの１／２以上であることが好ましい。この場合には、接着剤で固定できる範囲が増え、強度を増すことができる。
【００１７】
上述した本発明の時計において、前記突出部は前記文字板に平行な部分を有し、前記平行な部分に前記指標部材が配置されることが好ましい。この場合には、突出部を有する環状部材の製造が容易となる。なお、本発明において「平行」とは、±２度程度の製造上のばらつきを含む。以下、本明細書において同様である。
【００１８】
上述した本発明の時計において、前記指標部材は、厚みが一定であることが好ましい。この場合には、この場合には、指標部材の製造が容易となる。なお、本発明において「一定」とは、±２度程度の製造上のばらつきを含む。以下、本明細書において同様である。
【００１９】
上述した本発明の時計において、前記指標部材と平面視で重ならない位置に配置され、電波を受信するアンテナを有することが好ましい。この場合には、アンテナが指標部材と平面視で重ならないので、アンテナの受信感度を低下させることがない。
【図面の簡単な説明】
【００２０】
【図１】本発明の一実施形態に係るアンテナ内蔵式電子時計１００（電子時計１００）を含むＧＰＳシステムの全体図である。
【図２】電子時計１００の平面図である。
【図３】電子時計１００の一部断面図である。
【図４】電子時計１００の一部の分解斜視図である。
【図５】電子時計１００の回路構成を示すブロック図である。
【図６】電子時計１００のダイヤルリング８３の一部破断斜視図である。
【図７】電子時計１００のダイヤルリング８３にインデックス８６を取り付けた状態を示す一部破断斜視図である。
【図８】電子時計１００のダイヤルリング８３を示す斜視図である。
【図９】インデックス８６を示す斜視図である。
【図１０】電子時計１００のダイヤルリング８３にインデックス８６を取り付けた状態を示す断面図である。
【図１１】電子時計１００のダイヤルリング８３にインデックス８６を取り付けた状態の一部を示す斜視図である。
【図１２】電子時計１００のダイヤルリング８３にインデックス８６を取り付けた状態を示す平面図である。
【図１３】本発明の第２実施形態における電子時計１００のダイヤルリング８３を示す一部破断斜視図である。
【図１４】本発明の第２実施形態における電子時計１００のダイヤルリング８３にインデックス８６を取り付けた状態を示す一部破断斜視図である。
【図１５】本発明の第２実施形態における電子時計１００のダイヤルリング８３にインデックス８６を取り付けた状態を示す断面図である。
【図１６】本発明の第２実施形態における電子時計１００のダイヤルリング８３にインデックス８６取り付けた状態を示す一部破断斜視図である。
【図１７】本発明の第２実施形態における電子時計１００のダイヤルリング８３にインデックス８６を取り付けた状態を示す一部斜視図である。
【図１８】本発明の第２実施形態における電子時計１００のダイヤルリング８３にインデックス８６を取り付けた状態を示す断面図である。
【図１９】本発明の第３実施形態における電子時計１０１の平面図である。
【発明を実施するための形態】
【００２１】
以下、添付の図面を参照しながら本発明に係る好適な実施の形態を説明する。図面において、各部の寸法及び縮尺は、実際のものと適宜に異なる。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２２】
＜第１実施形態＞
Ａ：アンテナ内蔵式電子時計の機構的な構成
図１は、本発明の第１実施形態に係るアンテナ内蔵式電子時計１００（以下「電子時計１００」という）を含むＧＰＳシステムの全体を示す概略図である。電子時計１００は、複数のＧＰＳ衛星２０の少なくとも１つから電波（無線信号）を受信して内部時刻を修正する腕時計であり、腕に接触する面（以下、「裏面」という）の反対側の面（以下「表面」という）に時刻を表示する。以下、裏面側を「下側」、表面側を「上側」という。
【００２３】
ＧＰＳ衛星２０は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
【００２４】
以下では、ＧＰＳシステムを衛星測位システムの例として説明するが、ＧＰＳシステムは衛星測位システムの一例である。本発明は、ガリレオ（EU）、GLONASS（ロシア）、北斗（中国）等の全地球的航法衛星システム（GNSS）、SBAS等の静止衛星、または、準天頂衛星等、時刻情報を含む衛星信号を発信する位置情報衛星を備える、その他の衛星測位システムを使用することができる。すなわち、電子時計１００は、ＧＰＳ衛星２０以外の衛星を含む位置情報衛星からの電波（無線信号）を受信して内部時刻を修正する腕時計であってもよい。
【００２５】
現在、約３１個のＧＰＳ衛星２０（図１においては、約３１個のうち４個のみを図示）が存在している。各ＧＰＳ衛星２０は、衛星信号がどのＧＰＳ衛星２０から送信されたかを識別するために、Ｃ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、実際に受信される衛星信号と、既知の各Ｃ／Ａコードのパターンの相関をとることにより、衛星信号に重畳されているＣ／Ａコードを検出することができる。
【００２６】
ＧＰＳ衛星２０は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星２０に搭載されている原子時計のわずかな時刻誤差が測定されており、衛星信号にはその時刻誤差を補正するための時刻補正パラメータも含まれている。電子時計１００は、１つのＧＰＳ衛星２０から送信された衛星信号を受信し、その中に含まれるＧＰＳ時刻情報と時刻補正パラメータを使用して内部時刻を正確な時刻に修正する。
【００２７】
衛星信号にはＧＰＳ衛星２０の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するための３つのパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００２８】
図２は、電子時計１００の平面図である。図２に示すように、電子時計１００は、外装ケース８０を備えている。外装ケース８０は、金属またはその他の導電性材料で形成された円筒状のケース胴８１と、セラミックまたはその他の非導電性材料で形成されたベゼル８２とを有し、ベゼル８２はケース胴８１に嵌め合わせられている。
【００２９】
ベゼル８２の内側には、プラスチックまたはその他の非導電性材料で形成された環状のダイヤルリング８３が配置され、ダイヤルリング８３の内側には、円盤状の文字板１１が配置されている。つまり、ダイヤルリング８３は文字板１１の外周に配置されている。円盤状の文字板１１の外周はダイヤルリング８３の内周より大きく、文字板１１の外周はダイヤルリング８３によって視認されないようになっている。ダイヤルリング８３には、例えば時刻（時）を示すバータイプの指標部材としてのインデックス８６が３０度おきに設けられ、文字板１１には、そのようなインデックスは設けられていない。ダイヤルリング８３に示される情報および文字板１１に示される情報は互いに異なっていればよく、図示の情報には限定されない。
【００３０】
文字板１１上には、指針軸１２を中心に周回して現在時刻を指し示す指針１３（１３ａ〜１３ｃ）が配置されている。以下では、文字板１１を時刻表示部分と呼ぶ場合がある。
【００３１】
詳細は後述するが、外装ケース８０は、表面側及び裏面側の２つの開口を有している。そして、外装ケース８０の表面側の開口は、ベゼル８２を介してカバーガラス８４で塞がれており、カバーガラス８４を介して、文字板１１及び指針１３（１３ａ〜１３ｃ）が視認可能となっている。
【００３２】
また、電子時計１００は、図１及び図２に示すように竜頭１６と、操作ボタン１７及び１８とを備えている。これらの竜頭１６、操作ボタン１７及び１８を手動操作することにより、電子時計１００を、少なくとも１つのＧＰＳ衛星２０からの衛星信号を受信して内部時刻情報の修正を行うモード（時刻情報取得モード）と、複数のＧＰＳ衛星２０からの衛星信号を受信して測位計算を行い内部時刻情報の時差を修正するモード（位置情報取得モード）とに設定できる。また、電子時計１００は、時刻情報取得モードや位置情報取得モードを定期的に（自動的に）実行することもできる。
【００３３】
図３は電子時計１００の内部構造を示す一部断面図であり、図４は電子時計１００の一部の分解斜視図である。図３に示すように、外装ケース８０は、金属またはその他の導電性材料で形成された円筒状のケース胴８１と、セラミックまたはその他の非導電性材料で形成されたベゼル８２とを有し、ベゼル８２はケース胴８１に嵌め合わせられている。外装ケース８０は、表面側の開口Ｋ１及び裏面側の開口Ｋ２を有する。外装ケース８０の表面側の開口Ｋ１は、円盤状のカバーガラス８４で塞がれており、裏面側の開口Ｋ２は、ＳＵＳ（ステンレス鋼）またはＴｉ（チタン）等の金属で形成された裏蓋８５で塞がれている。裏蓋８５とケース胴８１とは、例えばスクリュー溝で固定されている。
【００３４】
カバーガラス８４の下側（裏面側）には、ベゼル８２の内周に沿って、プラスチックなどの非導電性材料で形成されたリング状（円環状）のダイヤルリング８３が設けられている。ダイヤルリング８３は、文字板１１の半径方向における内側に延びて形成された突出部８３ａを備えている。突出部８３ａには、真鍮やステンレス等の金属で形成された指標部材としてのインデックス８６が固定されている。ダイヤルリング８３とインデックス８６とは別体である。（突出部８３ａ及びインデックス８６の詳細についてき後述する。また、ダイヤルリング８３の下側には、ケース胴８１の内周よりも内側に、プラスチックなどの非導電性材料で形成された地板３８が設けられている。
【００３５】
これらの地板３８及びダイヤルリング８３と、外装ケース８０の内周とによって、ドーナツ状の収納空間が区画されている。この収納空間には、環状のアンテナ体４０が収納されている。したがって、アンテナ体４０は、ベゼル８２の内周よりも内側に収容され、その上方をダイヤルリング８３で覆われている。アンテナ体４０の表面には、図示しないアンテナ電極パターン（エレメント）がメッキなどで形成されている。アンテナ電極パターンはＣ形ループ状のループ状素子と、ループ状素子の径とほぼ同様の径とされており、ループ状素子とほぼ同心の関係を保ちながらループ状素子に対向して配置された円弧状の励振素子とを備えている。ループ状素子と励振素子は所定の間隔を持って平行に配置されており、両者は電磁的に結合される。励振素子の一端は下方へ折曲され、直立して配置されている給電ピン４４と接触するように構成されている。給電ピン４４は、基板２５、シールド９１、及び導通ばね２４を介して、裏蓋８５と電気的に接続されており、裏蓋８５がケース胴８１に固定されているので、ケース胴８１にも電気的に接続されている。これによりアンテナ体４０のアンテナ電極パターンには、所定の電位が供給されている。
【００３６】
図３に示すように、アンテナ体４０の内周よりも内側には、光透過性の文字板１１、文字板１１及び地板３８を貫通する指針軸１２、ならびに指針軸１２を中心に周回して現在時刻を指し示す複数の指針１３（秒針１３ａ、分針１３ｂ、及び時針１３ｃ）が設けられている。
【００３７】
指針軸１２は、外装ケース８０の中心軸線に沿って表裏方向に延在している。文字板１１は、円形の板材であり、プラスチックなどの光透過性の非導電性材料で形成されている。図３に示すように、文字板１１は、カバーガラス８４及び地板３８の間に配置されている。文字板１１の中央部には、指針軸１２が貫通する穴が形成されている。指針１３は、アンテナ体４０の内周よりも内側で、且つ、カバーガラス８４及び文字板１１の間に配置されている。
【００３８】
地板３８の下側（裏面側）には、指針軸１２を回転させて複数の指針１３を駆動する駆動機構（駆動部）３０が取り付けられている。駆動機構３０は、ステップモーターＭと歯車等の輪列とを有し、当該ステップモーターＭが当該輪列を介して指針軸１２を回転させることにより、複数の指針１３を駆動する。具体的には、駆動機構３０は、時針１３ｃが指針軸１２の周りを１２時間で１周し、分針１３ｂが６０分で一周し、秒針１３ａが６０秒で一周するように、指針軸１２を回転させる。
【００３９】
また電子時計１００は、外装ケース８０の内側に、基板２５を備える。基板２５は、樹脂またはその他の誘電体を含む素材で形成され、駆動機構３０の下側（つまり、駆動機構３０及び裏蓋８５の間）に配置されている。
基板２５の下面（裏側の面）には、ＧＰＳ受信部（無線受信部）２６及び制御部７０を含む回路ブロックが実装されている。ＧＰＳ受信部２６は、例えば、１チップのＩＣモジュールで構成され、そこにはアナログ回路とデジタル回路とが含まれている。制御部７０は、制御信号をＧＰＳ受信部２６に送り、ＧＰＳ受信部２６の受信動作を制御するとともに、駆動機構３０の動作を制御する。
【００４０】
基板２５の上側には、金属またはその他の導電性材料から形成された給電ピン４４が設けられている。給電ピン４４は、スプリングを内蔵し、図示しないグランド板９０に開口された挿通孔を貫通してアンテナ体４０の給電部に接触し、地板３８に開口された挿通孔３８ｂ（図４参照）を貫通して基板２５と接触する。したがって、アンテナ体４０の給電部は、給電ピン４４を介して基板２５（厳密には、基板２５上に設けられた配線）に電気的に接続され、基板２５から所定の電位がアンテナ体４０に供給されている。
【００４１】
ＧＰＳ受信部２６及び制御部７０を含む回路ブロックは、導電性材料により形成されたシールド９１により覆われている。シールド９１は、回路押え３９、裏蓋８５、及びケース胴８１を介して、グランド板９０と電気的に接続されている。また、シールド９１には、回路ブロックのグランド電位が供給されている。すなわち、シールド９１、裏蓋８５、ケース胴８１、及びグランド板９０の電位は、回路ブロックのグランド電位に保たれており、グランドプレーンとして機能している。
【００４２】
駆動機構３０と地板３８との間には、耐磁板Ｓ１及びＳ２が設けられ、駆動機構３０と基板２５との間には、耐磁板Ｓ３が設けられている。以下では、耐磁板Ｓ１及びＳ２を第１耐磁板と総称し、耐磁板Ｓ３を第２耐磁板と総称する場合がある。これら耐磁板Ｓ１〜Ｓ３は、純鉄等の高い透磁率を有する導電性材料から形成される。
【００４３】
電子時計１００の外部に、スピーカー等の強い磁界を発生させる物体が存在する場合、当該磁界の影響により、ステップモーターＭが誤作動する可能性がある。また、電子時計１００を構成する各種構成要素のうち、ケース胴８１、裏蓋８５等の金属は、磁化された場合に磁界を発生させる。さらには、基板２５に設けられた回路ブロックも、磁界を発生させることがある。
本実施形態では、高い透磁率を有する材料から形成される耐磁板Ｓ１〜Ｓ３により、ステップモーターＭを覆うことにより、駆動機構３０を磁気的にシールドし、上述した各種磁界に起因してステップモーターＭが誤作動することを防止している。
【００４４】
また電子時計１００は、外装ケース８０の内側に、リチウムイオン電池などの円柱形状の二次電池２７、当該二次電池２７を収納するための電池収納部２８、及び光発電を行うソーラーパネル８７を備える。
【００４５】
ソーラーパネル８７は、光エネルギーを電気エネルギー（電力）に変換する複数のソーラーセル（光発電素子）を直列接続した円形の平板である。ソーラーパネル８７は、アンテナ体４０の内周よりも内側で、地板３８と文字板１１との間に配置されている。ソーラーパネル８７の中央部には、指針軸１２が貫通する穴が形成されている。
【００４６】
二次電池２７は、ソーラーパネル８７が発電した電力で充電される。この二次電池２７を収納するための電池収納部２８は、基板２５の下側（つまり、基板２５及び裏蓋８５の間）に配置されている。
【００４７】
外装ケース８０の外側には、竜頭１６と、操作ボタン１７及び１８とが設けられる（図２参照）。電子時計１００の利用者が、竜頭１６を操作することで生じる竜頭１６の動きは、外装ケース８０を貫通する巻真１６ａを介して、駆動機構３０に伝達される。また、電子時計１００の利用者が、操作ボタン１７（または１８）を押下することで生じる操作ボタン１７（または１８）の動きは、外装ケース８０を貫通する図示しないボタン軸を介して、図示しないスイッチに伝達される。そして、当該スイッチは、操作ボタン１７（または１８）からの圧力を電気的な信号に変換して、制御部７０に伝達する。
以下では、これら、竜頭１６、巻真１６ａ、操作ボタン１７及び１８、並びに、ボタン軸を、操作部と総称する場合がある。
【００４８】
Ｂ：アンテナ内蔵式電子時計の回路構成
図５は、電子時計１００の回路構成を示すブロック図である。図５に示すように、電子時計１００は、ＧＰＳ受信部２６及び制御表示部３６を含む。ＧＰＳ受信部２６は、衛星信号の受信、ＧＰＳ衛星２０の捕捉、位置情報の生成、時刻修正情報の生成等の処理を行う。制御表示部３６は、内部時刻情報の保持及び内部時刻情報の修正等の処理を行う。
【００４９】
ソーラーパネル８７は、充電制御回路２９を通じて二次電池２７を充電する。電子時計１００はレギュレータ３４及び３５を備え、二次電池２７は、レギュレータ３４を介して制御表示部３６に、レギュレータ３５を介してＧＰＳ受信部２６に駆動電力を供給する。また電子時計１００は、二次電池２７の電圧を検出する電圧検出回路３７を備える。なお、レギュレータ３５に代えて、例えば、ＲＦ部５０（詳細は後述）に駆動電力を供給するレギュレータ３５−１と、ベースバンド部６０（詳細は後述）に駆動電力を供給するレギュレータ３５−２（ともに図示せず）とに分けて設けてもよい。レギュレータ３５−１は、ＲＦ部５０の内部に設けてもよい。
【００５０】
また電子時計１００は、アンテナ体４０、及びＳＡＷ（Surface Acoustic Wave：表面弾性波）フィルタ３２を含む。アンテナ体４０は、図１に関連して説明したように、複数のＧＰＳ衛星２０からの衛星信号を受信する。ただし、アンテナ体４０は衛星信号以外の不要な電波も若干受信してしまうため、ＳＡＷフィルタ３２は、アンテナ体４０が受信した信号から衛星信号を抽出する処理を行う。すなわち、ＳＡＷフィルタ３２は、１．５ＧＨｚ帯の信号を通過させるバンドパスフィルタとして構成される。
【００５１】
また、ＧＰＳ受信部２６は、ＲＦ（Radio Frequency：無線周波数）部５０とベースバンド部６０を含む。以下に説明するように、ＧＰＳ受信部２６は、ＳＡＷフィルタ３２が抽出した１．５ＧＨｚ帯の衛星信号から航法メッセージに含まれる軌道情報やＧＰＳ時刻情報等の衛星情報を取得する処理を行う。
【００５２】
ＲＦ部５０は、ＬＮＡ（Low Noise Amplifier）５１、ミキサ５２、ＶＣＯ（Voltage Controlled Oscillator）５３、ＰＬＬ（Phase Locked Loop）回路５４、ＩＦアンプ５５、ＩＦ（Intermediate Frequency：中間周波数）フィルタ５６、ＡＤＣ（Ａ／Ｄ変換器）５７等を含む。
【００５３】
ＳＡＷフィルタ３２が抽出した衛星信号は、ＬＮＡ５１で増幅される。ＬＮＡ５１で増幅された衛星信号は、ミキサ５２でＶＣＯ５３が出力するクロック信号とミキシングされて中間周波数帯の信号にダウンコンバートされる。ＰＬＬ回路５４は、ＶＣＯ５３の出力クロック信号を分周したクロック信号と基準クロック信号を位相比較してＶＣＯ５３の出力クロック信号を基準クロック信号に同期させる。その結果、ＶＣＯ５３は基準クロック信号の周波数精度の安定したクロック信号を出力することができる。なお、中間周波数として、例えば、数ＭＨｚを選択することができる。
【００５４】
ミキサ５２でミキシングされた信号は、ＩＦアンプ５５で増幅される。ここで、ミキサ５２でのミキシングにより、中間周波数帯の信号とともに数ＧＨｚの高周波信号も生成される。そのため、ＩＦアンプ５５は、中間周波数帯の信号とともに数ＧＨｚの高周波信号も増幅する。ＩＦフィルタ５６は、中間周波数帯の信号を通過させるとともに、この数ＧＨｚの高周波信号を除去する（正確には、所定のレベル以下に減衰させる）。ＩＦフィルタ５６を通過した中間周波数帯の信号はＡＤＣ（Ａ／Ｄ変換器）５７でデジタル信号に変換される。
【００５５】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含む。また、ベースバンド部６０には、温度補償回路付き水晶発振回路（ＴＣＸＯ：Temperature Compensated Crystal Oscillator）６５やフラッシュメモリ６６等が接続されている。
【００５６】
温度補償回路付き水晶発振回路（ＴＣＸＯ）６５は、温度に関係なくほぼ一定の周波数の基準クロック信号を生成する。フラッシュメモリ６６には、例えば時差情報が記憶されている。時差情報は、時差データ（座標値（例えば、緯度及び経度）に関連づけられたＵＴＣに対する補正量等）が定義された情報である。
【００５７】
ベースバンド部６０は、時刻情報取得モード又は位置情報取得モードに設定されると、ＲＦ部５０のＡＤＣ５７が変換したデジタル信号（中間周波数帯の信号）からベースバンド信号を復調する処理を行う。
【００５８】
また、ベースバンド部６０は、時刻情報取得モード又は位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星２０に同期（すなわち、ＧＰＳ衛星２０を捕捉）したものと判断する。ここで、ＧＰＳシステムでは、すべてのＧＰＳ衛星２０が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２０を検索することができる。
【００５９】
また、ベースバンド部６０は、時刻情報取得モード又は位置情報取得モードにおいて、捕捉したＧＰＳ衛星２０の衛星情報を取得するために、当該ＧＰＳ衛星２０のＣ／Ａコードと同一のパターンのローカルコードとベースバンド信号をミキシングする処理を行う。ミキシングされた信号には、捕捉したＧＰＳ衛星２０の衛星情報を含む航法メッセージが復調される。そして、ベースバンド部６０は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ６３に記憶する）処理を行う。ここで、ＧＰＳ時刻情報は、週番号データ（ＷＮ）及びＺカウントデータであるが、以前に週番号データが取得されている場合にはＺカウントデータのみであってもよい。そして、ベースバンド部６０は、衛星情報に基づいて、内部時刻情報を修正するために必要な時刻修正情報を生成する。
【００６０】
時刻情報取得モードの場合、より具体的には、ベースバンド部６０は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００６１】
一方、位置情報取得モードの場合、より具体的には、ベースバンド部６０は、ＧＰＳ時刻情報や軌道情報に基づいて測位計算を行い、位置情報（より具体的には、受信時に電子時計１００が位置する場所の緯度及び経度）を取得する。さらに、ベースバンド部６０は、フラッシュメモリ６６に記憶されている時差情報を参照し、位置情報により特定される電子時計１００の座標値（例えば、緯度及び経度）に関連づけられた時差データを取得する。このようにして、ベースバンド部６０は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。
なお、ベースバンド部６０は、１つのＧＰＳ衛星２０の衛星情報から時刻修正情報を生成してもよいし、複数のＧＰＳ衛星２０の衛星情報から時刻修正情報を生成してもよい。
【００６２】
また、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、ＴＣＸＯ６５から出力される基準クロック信号でカウントアップされる。
【００６３】
制御表示部３６は、制御部７０、駆動回路７４及び水晶振動子７３を含む。
制御部７０は、記憶部７１およびＲＴＣ（Real Time Clock）７２を備え、各種制御を行う。制御部７０は、例えばＣＰＵで構成することが可能である。制御部７０は、制御信号をＧＰＳ受信部２６に送り、ＧＰＳ受信部２６の受信動作を制御する。また制御部７０は、電圧検出回路３７の検出結果に基づいて、レギュレータ３４及びレギュレータ３５の動作を制御する。また制御部７０は、駆動回路７４を介してすべての指針１３の駆動を制御する。
【００６４】
記憶部７１には受信データが記憶されている。制御部７０はその受信データに基づいて内部時刻情報を修正する。内部時刻情報は、電子時計１００で計時される時刻の情報であり、常時駆動されているＲＴＣ７２でカウントされており、水晶振動子７３によって生成される基準クロック信号によって更新される。したがって、ＧＰＳ受信部２６への電力供給が停止されていても、内部時刻情報を更新して指針の運針を継続することができるようになっている。
【００６５】
制御部７０は、時刻情報取得モードに設定されると、ＧＰＳ受信部２６の動作を制御し、ＧＰＳ時刻情報に基づいて内部時刻情報を修正して記憶部７１に記憶する。より具体的には、内部時刻情報は、取得したＧＰＳ時刻情報にＵＴＣオフセットを加算することで求められるＵＴＣ（協定世界時）に修正される。また、制御部７０は、位置情報取得モードに設定されると、ＧＰＳ受信部２６の動作を制御し、衛星時刻データ（ＧＰＳ時刻情報）及び時差データに基づいて、内部時刻情報を修正して記憶部７１に記憶する。
【００６６】
Ｃ：ダイヤルリングの突出部及び指標部材の詳細
図６は本実施形態のダイヤルリング８３の一部を示す破断斜視図である。図６に示すように、本実施形態のダイヤルリング８３は、ダイヤルリング８３の半径方向に延びて形成された突出部８３ａを備えている。半径方向とはダイヤルリング８３の中心からダイヤルリングに向かう（または、ダイヤルリング８３からダイヤルリング８３の中心に向かう）方向をいう。突出部８３ａは半径方向の内側（ダイヤルリング８３の中心）に延びて形成されている。（コメント：表現を明確にさせていただきました）突出部８３ａには、文字板１１に平行な平面部８３ｂが形成されており、平面部８３ｂには２つの第１孔部８３ｃが形成されている。ダイヤルリング８３には、このような突出部８３ａが、図８に示すように１時から１２時までの位置にそれぞれ設けられている。図８はダイヤルリング８３を示す斜視図である。
【００６７】
前記突出部８３ａには、図９に示すような形状のインデックス８６が取り付けられる。インデックス８６は先端部が傾斜しているが、その他の胴体部分は一定の厚みで形成されている。図９は突出部８３ａの平面部８３ｂと接触する面が図９において上方になる向きのインデックス８６を示す斜視図である。図９に示すように、インデックス８６には、突出部８３ａの２つの第１孔部８３ｃと嵌め合わされる２つの凸部８６ａが設けられている。本実施形態では、図７及び図１０に示すように、インデックス８６の凸部８６ａと、突出部８３ａの第１孔部８３ｃとを嵌め合わすようにして、インデックス８６を突出部８３ａに取り付け、仮り止めする。突出部８３ａの平面部８３ｂを表側とすると、その裏側の面には、図１１に示すように第２孔部８３ｄが形成されている。第２孔部８３ｄは、図６及に示すように、第１孔部８３ｃと連通して形成されている。本実施形態においては、第２孔部８３ｄ側から接着剤を注入（塗布）し（コメント：念のため表現を追加させてください）、インデックス８６の凸部８６ａを、突出部８３ａの第１孔部８３ｃに接着させることで固定させている。したがって、接着剤が見えないため、美観を損なうことがない。
【００６８】
図１２は本実施形態のインデックス８６を突出部８３ａに固着させたダイヤルリング８３の平面図である。図１２に示すように、本実施形態のインデックス８６は、突出部８３ａに対応して１時から１２時までの位置に取り付けられる。インデックス８６は、３種類の大きさを有しており、２時、４時、６時、及び１０時の位置のインデックス８６が最も小さい。また、１時、３時、５時、７時、８時、９時、及び１１時の位置のインデックス８６は中間の大きさで、１２時の位置のインデックス８６が最も大きくなっている。
【００６９】
インデックス８６は、ダイヤルリング８３の半径方向の長さ、及びダイヤルリング８３の周方向の幅が、突出部８３ａよりも大きく形成されおり、図１２に示すように、平面視では突出部８３ａはインデックス８６に隠れて見えないようになっている。したがって、美観を損なうことがない。また、ダイヤルリング８３の半径方向において、インデックス８６の外周側の端部は、ダイヤルリング８３の最内周よりも、図１２示すように長さＬだけダイヤルリング８３の外周側に位置している。したがって、文字板１１にインデックス８６を取り付ける場合に比べて、文字板１１の見切りを広くすることができる。
【００７０】
また、図１に示すように、インデックス８６は、アンテナ体４０と平面視において重ならない位置に配置されているので、アンテナ体４０の受信感度を低下させることがない。
【００７１】
以上のように本実施形態によれば、インデックスをダイヤルリングとは別部材の金属で形成したので、デザイン性を高めることができる。また、インデックスはダイヤルリングに取り付けるようにしたので、文字板の見切りを広くすることができる。
【００７２】
＜第２実施形態＞
次に、本発明の第２実施形態を図１３乃至図１８を参照しつつ説明する。本実施形態は、突出部８３ａの平面部８３ｂを表側とした場合に、その裏側の面に形成された第２孔部が一つの長孔部として形成されている例である。図１３に示すように、本実施形態においては、突出部８３ａの第１孔部８３ｃと連通する第２孔部８３ｅが、一つの長孔部として形成されている。
【００７３】
突出部８３ａの２つの第１孔部８３ｃに、図１４乃至図１６に示すようにインデックス８６の２つの凸部８６ａを嵌め合わせるように取り付けると、第１孔部８３ｃと凸部８６ａの嵌め合わせ部に対して、第２孔部８３ｅの大きさが非常に大きくなっている。したがって、図１７に示すように第２孔部８３ｅを上側に向け、第２孔部８３ｅに接着剤を注入すると、第２孔部８３ｅ内の空気が抜けやすく、第２孔部８３ｅの底面まで接着剤を注入することが容易となる。また、第２孔部８３ｅが接着剤溜まりとなり、接着度が高まり、強度を向上させることができる。
【００７４】
また、本実施形態においては、図１８に示すように、凸部８６ａの長さＬ２は、インデックス８６を取り付けた際に、第２孔部８３ｅから突出する長さＬ１が、第２孔部８３ｅの深さＬ３の１／２以上、好ましくは２／３以上となるように構成されている。このように構成することにより、接着剤で固定できる範囲が増え、強度を増すことができる。なお、この構成は第１実施形態にも応用可能である。
【００７５】
＜第３実施形態＞
次に、本発明の第３実施形態について図１９を参照しつつ説明する。本実施形態は、外部から送信される無線電波を受信して、時刻修正等の処理を実行する電波時計に本発明のインデックスを取り付けたダイヤルリングを適用した例である。
【００７６】
このような無線電波には、例えば標準電波基地局から送信される長波標準電波等がある。本実施形態の電波時計１０１におけるアンテナ体４１は、図１９に示すように、磁性体コア（アンテナコア）４３にコイル４２を巻いて構成されており、必要に応じて、耐食性に優れるカチオン電着塗装等で絶縁を施したものである。磁性体コア４３は、例えば、磁性箔材としてのコバルト系のアモルファス金属箔を型で打ち抜くか、エッチングで成形したものを１０〜３０枚程度接着して重ね合わせ、焼鈍等の熱処理を行って磁気特性を安定化させたものである。本実施形態の磁性体コア４３は、コイル４２が巻かれる中央部が直線状に形成され、かつ、両端部が湾曲された平面形状のアモルファス箔を、同様の平面形状とされた図示しないアンテナ枠内に配置して時計の厚み方向に積層して構成されている。
【００７７】
このようなアンテナ体４１は、時計の中心に対して９時方向に配置されている。本実施形態においても、インデックス８６は、平面視でアンテナ体４１と重ならない位置に配置されており、アンテナ体４１の受信感度を低下させることがない。
【００７８】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００７９】
（変形例１）
上述した実施形態においては、ダイヤルリング８３を樹脂で形成し、インデックス８６を金属で形成した例について説明した。しかしながら、本発明はこのような例に限定されるものではなく、例えば、ダイヤルリング８３を金属等で形成し、インデックス８６を樹脂やガラス、貴石等で形成するようにしてもよい。また、樹脂で形成されたインデックス８６を金属でメッキすることにより、高級感が得られるようにしてもよい。
【００８０】
（変形例２）
上述した実施形態においては、突出部８３ａの平面部８３ｂを文字板１１と平行な面となるように形成した例について説明した。しかしながら、本発明はこのような例に限定されるものではなく、例えば、平面部８３ｂを文字板１１に対して傾斜するように構成してもよい。また、上述した実施形態においては、インデックス８６の厚みを一定にする例について説明した。しかしながら、本発明はこのような例に限定されるものではなく、例えば、平面部８３ｂにインデックス８６を取り付けた際に、インデックス８６の表面が傾斜を有するように、厚みを変化させてもよい。
【００８１】
（変形例３）
上述した実施形態においては、本発明をアンテナ内蔵式の電子時計または電波時計に適用した例について説明した。しかしながら、本発明はこのような例に限定されるものではなく、例えば、アンテナを備えていない時計にも適用可能である。
【符号の説明】
【００８２】
１００……アンテナ内蔵式電子時計、１０１……電波時計、１１……文字板（時刻表示部分）、１２……指針軸、１３（１３ａ，１３ｂ，１３ｃ）……指針、１６……竜頭、１６ａ……巻真、２６……ＧＰＳ受信部、２７……二次電池、２８……電池収納部、３０……駆動機構、３８……地板、４０，４１……アンテナ体、４４……給電ピン、７０……制御部、８０……外装ケース、８１……ケース胴、８２……ベゼル、８３……ダイヤルリング、８３ａ……突出部、８３ｂ……平面部、８３ｃ……穴部、８３ｄ……大穴部、８３ｅ……大穴部、８４……カバーガラス、８５……裏蓋、８７……ソーラーパネル。
【図１】
2018109650.tif 000003
【図２】
2018109650.tif 000004
【図３】
2018109650.tif 000005
【図４】
2018109650.tif 000006
【図５】
2018109650.tif 000007
【図６】
2018109650.tif 000008
【図７】
2018109650.tif 000009
【図８】
2018109650.tif 000010
【図９】
2018109650.tif 000011
【図１０】
2018109650.tif 000012
【図１１】
2018109650.tif 000013
【図１２】
2018109650.tif 000014
【図１３】
2018109650.tif 000015
【図１４】
2018109650.tif 000016
【図１５】
2018109650.tif 000017
【図１６】
2018109650.tif 000018
【図１７】
2018109650.tif 000019
【図１８】
2018109650.tif 000020
【図１９】
2018109650.tif 000021
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
文字板と、
前記文字板の外周に平面視で重なるように配置された環状部材であって、前記環状部材の半径方向における内側に向かって突出した突出部を有する前記環状部材と、
前記突出部に配置された指標部材と、
を有し、
前記環状部材の前記半径方向おける前記突出部の長さは、前記環状部材の前記半径方向における前記指標部材の長さよりも短く、
前記環状部材の周方向おける前記突出部の幅は、前記環状部材の前記周方向おける前記指標部材の幅よりも短い、
ことを特徴とする時計。
【請求項２】
前記環状部材は、樹脂によって形成され、
前記指標部材は、金属によって形成される、
ことを特徴とする請求項１に記載の時計。
【請求項３】
前記環状部材の前記半径方向における前記指標部材の外側端部は、前記環状部材の前記半径方向における前記環状部材の内側端部よりも、前記環状部材の前記半径方向における外側に位置している、
ことを特徴とする請求項１または２に記載の時計。
【請求項４】
前記指標部材は、前記突出部に接着剤により固定される、
ことを特徴とする請求項１乃至３のいずれか１項に記載の時計。
【請求項５】
前記指標部材は、凸部を有し、
前記突出部は、前記凸部に対応する位置に第１孔部を有し、
前記凸部は、前記第１孔部に嵌め合わせられる、
ことを特徴とする請求項４に記載の時計。
【請求項６】
前記突出部は、前記第１孔部が形成された側の裏側に、前記第１孔部と連通する第２孔部を更に有し、
前記凸部は、前記接着剤が前記第２孔部側から塗布されることで、前記第１孔部に固定される、
ことを特徴とする請求項５に記載の時計。
【請求項７】
前記凸部及び前記第１孔部は、複数であり、
前記第２孔部は、前記複数の第１孔部と連通する一つの長孔部である、
ことを特徴とする請求項６に記載の時計。
【請求項８】
前記第１孔部または前記第２孔部内に突出する前記凸部の長さは、前記第１孔部または前記第２孔部の深さの１／２以上である
ことを特徴とする請求項６または７に記載の時計。
【請求項９】
前記突出部は、前記文字板に平行な部分を有し、
前記平行な部分に前記指標部材が配置される、
ことを特徴とする請求項１乃至８のいずれか１項に記載の時計。
【請求項１０】
前記指標部材の厚みは、一定である、
ことを特徴とする請求項１乃至９のいずれか１項に記載の時計。
【請求項１１】
前記指標部材と平面視で重ならない位置に配置されたアンテナを有する、
ことを特徴とする請求項１乃至１０のいずれか１項に記載の時計。
【請求項１２】
前記環状部材は、前記突出部を複数有し、
前記複数の突出部は、１２時を示す位置に設けられた第１突出部を含み、
前記指標部材は、複数設けられ、
前記複数の指標部材は、前記第１突出部に配置された第１指標部材を含み、
前記第１指標部材の大きさは、前記複数の指標部材の中で最も大きい、
ことを特徴とする請求項１乃至１１のいずれか１項に記載の時計。
【手続補正２】
【補正対象書類名】明細書
【補正対象項目名】０００７
【補正方法】変更
【補正の内容】
【０００７】
以上の課題を解決するため、本発明に係る時計は、文字板と、前記文字板の外周に平面視で重なるように配置された環状部材であって、前記環状部材の半径方向における内側に向かって突出した突出部を有する前記環状部材と、前記突出部に配置された指標部材と、を有し、前記環状部材の前記半径方向おける前記突出部の長さは、前記環状部材の前記半径方向における前記指標部材の長さよりも短く、前記環状部材の周方向おける前記突出部の幅は、前記環状部材の前記周方向おける前記指標部材の幅よりも短い、ことを特徴とする。本発明においては、指標部材として、環状部材とは別素材の部材が使用可能であるため、デザイン性を高めることが可能となる。また、指標部材を突出部に取り付けるので作業が容易になる。更に、環状部材の半径方向おける突出部の長さが、環状部材の半径方向における指標部材の長さよりも短く、環状部材の周方向おける突出部の幅が、環状部材の周方向おける指標部材の幅よりも短いので、指標部材側から見ると、突出部が見えにくくなり、美観を損ねることがない。なお、本発明において、「環状」とは、全体がつながって切れ目がなく輪になっていることをいい、円環状だけではなく、切れ目がない四角形やその他の多角形の形状を含む。また、「指標部材」とは、時刻を表示するための植字、略字、時字を含む。「環状」及び「指標部材」については、以下、本明細書において同様である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上述した本発明の時計において、前記環状部材の前記半径方向における前記指標部材の外側端部は、前記環状部材の前記半径方向における前記環状部材の内側端部よりも、前記環状部材の前記半径方向における外側に位置していることが好ましい。文字板に指標部材を取り付ける場合には、指標部材を環状部材の半径方向における最も外側に取り付けようとしても、環状部材の半径方向における指標部材の外側端部は、前記半径方向における環状部材の内側端部の位置とするのが限界となる。しかし、突出部は、前記半径方向における指標部材の外側端部が、前記半径方向における環状部材の内側端部よりも、前記半径方向における外側に位置するように構成されているため、指標部材が文字板を覆う領域は、文字板に指標部材を取り付ける場合よりも狭くなり、文字板の見切りを広くすることができる。
【手続補正５】
【補正対象書類名】明細書
【補正対象項目名】００１１
【補正方法】変更
【補正の内容】
【００１１】
上述した本発明の時計において、前記指標部材は、前記突出部に接着剤により固定されることが好ましい。この場合には、作業が容易になる。
【手続補正６】
【補正対象書類名】明細書
【補正対象項目名】００１２
【補正方法】変更
【補正の内容】
【００１２】
上述した本発明の時計において、前記指標部材は凸部を有し、前記突出部は、前記凸部に対応する位置に第１孔部を有し、前記凸部は、前記第１孔部に嵌め合わせられることが好ましい。この場合には、指標部材の凸部が第１孔部に嵌め合わせられるので、時計を使用する際に、指標部材側からは接着剤が見えず、美観を損ねることがない。
【手続補正７】
【補正対象書類名】明細書
【補正対象項目名】００１３
【補正方法】変更
【補正の内容】
【００１３】
上述した本発明の時計において、前記突出部は、前記第１孔部が形成された側の裏側に、前記第１孔部と連通する第２孔部を更に有し、前記凸部は、前記接着剤が前記第２孔部側から塗布されることで、前記第１孔部に固定されることが好ましい。この場合には、指標部材の凸部を第１孔部に嵌め合わせ、接着剤を第２孔部側から塗布して凸部を第１孔部に接着剤により固着させるので、指標部材側からは接着剤が見えず、美観を損ねることがない。
【手続補正８】
【補正対象書類名】明細書
【補正対象項目名】００１５
【補正方法】変更
【補正の内容】
【００１５】
上述した本発明の時計において、前記環状部材は、前記突出部を複数有し、前記複数の突出部は、１２時を示す位置に設けられた第１突出部を含み、前記指標部材は、複数設けられ、前記複数の指標部材は、前記第１突出部に配置された第１指標部材を含み、前記第１指標部材の大きさは、前記複数の指標部材の中で最も大きいことが好ましい。１２時を表す第１指標部材の大きさが複数の指標部材の中で最も大きいので、そうでない場合と比べて、現在時刻の視認性が向上する。
【手続補正９】
【補正対象書類名】明細書
【補正対象項目名】００１６
【補正方法】変更
【補正の内容】
【００１６】
上述した本発明の時計において、前記第１孔部または前記第２孔部内に突出する前記凸部の長さは、前記第１孔部または前記第２孔部の深さの１／２以上であることが好ましい。この場合には、接着剤で固定できる範囲が増え、強度を増すことができる。
【手続補正１０】
【補正対象書類名】明細書
【補正対象項目名】００１８
【補正方法】変更
【補正の内容】
【００１８】
上述した本発明の時計において、前記指標部材の厚みが一定であることが好ましい。この場合には、この場合には、指標部材の製造が容易となる。なお、本発明において「一定」とは、±２度程度の製造上のばらつきを含む。以下、本明細書において同様である。
【手続補正１１】
【補正対象書類名】明細書
【補正対象項目名】００１９
【補正方法】変更
【補正の内容】
【００１９】
上述した本発明の時計において、前記指標部材と平面視で重ならない位置に配置されたアンテナを有することが好ましい。この場合には、アンテナが指標部材と平面視で重ならないので、アンテナの受信感度を低下させることがない。
【手続補正１２】
【補正対象書類名】明細書
【補正対象項目名】００２０
【補正方法】変更
【補正の内容】
【００２０】
【図１】本発明の一実施形態に係るアンテナ内蔵式電子時計１００（電子時計１００）を含むＧＰＳシステムの全体図である。
【図２】電子時計１００の平面図である。
【図３】電子時計１００の一部断面図である。
【図４】電子時計１００の一部の分解斜視図である。
【図５】電子時計１００の回路構成を示すブロック図である。
【図６】電子時計１００のダイヤルリング８３の一部破断斜視図である。
【図７】電子時計１００のダイヤルリング８３にインデックス８６を取り付けた状態を示す一部破断斜視図である。
【図８】電子時計１００のダイヤルリング８３を示す斜視図である。
【図９】インデックス８６を示す斜視図である。
【図１０】電子時計１００のダイヤルリング８３にインデックス８６を取り付けた状態を示す断面図である。
【図１１】電子時計１００のダイヤルリング８３にインデックス８６を取り付けた状態の一部を示す斜視図である。
【図１２】電子時計１００のダイヤルリング８３にインデックス８６を取り付けた状態を示す平面図である。
【図１３】本発明の第２実施形態における電子時計１００のダイヤルリング８３を示す一部破断斜視図である。
【図１４】本発明の第２実施形態における電子時計１００のダイヤルリング８３にインデックス８６を取り付けた状態を示す一部破断斜視図である。
【図１５】本発明の第２実施形態における電子時計１００のダイヤルリング８３にインデックス８６を取り付けた状態を示す断面図である。
【図１６】本発明の第２実施形態における電子時計１００のダイヤルリング８３にインデックス８６を取り付けた状態を示す一部破断斜視図である。
【図１７】本発明の第２実施形態における電子時計１００のダイヤルリング８３にインデックス８６を取り付けた状態を示す一部斜視図である。
【図１８】本発明の第２実施形態における電子時計１００のダイヤルリング８３にインデックス８６を取り付けた状態を示す断面図である。
【図１９】本発明の第３実施形態における電子時計１０１の平面図である。
【手続補正１３】
【補正対象書類名】明細書
【補正対象項目名】００３４
【補正方法】変更
【補正の内容】
【００３４】
カバーガラス８４の下側（裏面側）には、ベゼル８２の内周に沿って、プラスチックなどの非導電性材料で形成されたリング状（円環状）のダイヤルリング８３が設けられている。ダイヤルリング８３は、文字板１１の半径方向における内側に延びて形成された突出部８３ａを備えている。突出部８３ａには、真鍮やステンレス等の金属で形成された指標部材としてのインデックス８６が固定されている。ダイヤルリング８３とインデックス８６とは別体である。突出部８３ａ及びインデックス８６の詳細について後述する。また、ダイヤルリング８３の下側には、ケース胴８１の内周よりも内側に、プラスチックなどの非導電性材料で形成された地板３８が設けられている。
【手続補正１４】
【補正対象書類名】明細書
【補正対象項目名】００６６
【補正方法】変更
【補正の内容】
【００６６】
Ｃ：ダイヤルリングの突出部及び指標部材の詳細
図６は本実施形態のダイヤルリング８３の一部を示す破断斜視図である。図６に示すように、本実施形態のダイヤルリング８３は、ダイヤルリング８３の半径方向に延びて形成された突出部８３ａを備えている。半径方向とはダイヤルリング８３の中心からダイヤルリングに向かう（または、ダイヤルリング８３からダイヤルリング８３の中心に向かう）方向をいう。突出部８３ａは半径方向の内側（ダイヤルリング８３の中心）に延びて形成されている。突出部８３ａには、文字板１１に平行な平面部８３ｂが形成されており、平面部８３ｂには２つの第１孔部８３ｃが形成されている。ダイヤルリング８３には、このような突出部８３ａが、図８に示すように１時から１２時までの位置にそれぞれ設けられている。図８はダイヤルリング８３を示す斜視図である。
【手続補正１５】
【補正対象書類名】明細書
【補正対象項目名】００６７
【補正方法】変更
【補正の内容】
【００６７】
前記突出部８３ａには、図９に示すような形状のインデックス８６が取り付けられる。インデックス８６は先端部が傾斜しているが、その他の胴体部分は一定の厚みで形成されている。図９は突出部８３ａの平面部８３ｂと接触する面が図９において上方になる向きのインデックス８６を示す斜視図である。図９に示すように、インデックス８６には、突出部８３ａの２つの第１孔部８３ｃと嵌め合わされる２つの凸部８６ａが設けられている。本実施形態では、図７及び図１０に示すように、インデックス８６の凸部８６ａと、突出部８３ａの第１孔部８３ｃとを嵌め合わすようにして、インデックス８６を突出部８３ａに取り付け、仮り止めする。突出部８３ａの平面部８３ｂを表側とすると、その裏側の面には、図１１に示すように第２孔部８３ｄが形成されている。第２孔部８３ｄは、図６に示すように、第１孔部８３ｃと連通して形成されている。本実施形態においては、第２孔部８３ｄ側から接着剤を注入（塗布）し、インデックス８６の凸部８６ａを、突出部８３ａの第１孔部８３ｃに接着させることで固定させている。したがって、接着剤が見えないため、美観を損なうことがない。
【手続補正１６】
【補正対象書類名】明細書
【補正対象項目名】００７０
【補正方法】変更
【補正の内容】
【００７０】
また、図２に示すように、インデックス８６は、アンテナ体４０と平面視において重ならない位置に配置されているので、アンテナ体４０の受信感度を低下させることがない。